(57)【要約】  本発明は、電気化学反応容器、特にポテンシオスタットのためのクロージャに関し、クロージャは、クロージャが反応容器に取り付けられたときに、ホルダによって保持された電極が反応容器の内部空間および反応容器に収容された電解質内へ延びるように、クロージャの内側に配置された電極を保持するためのホルダと、電極との電気的接触を提供するための、クロージャの外側に配置された複数のコンタクトと、を備える。
2020510515.tif 000002
【特許請求の範囲】
【請求項１】
電気化学反応容器、特にポテンシオスタットのためのクロージャであって、該クロージャは、
該クロージャが反応容器に取り付けられたときに、ホルダによって保持された電極が前記反応容器の内部空間および前記反応容器に収容された電解質内へ延びるように、前記クロージャの内側に配置された電極を保持するためのホルダと、
前記電極との電気的接触を提供するための、前記クロージャの外側に配置された複数のコンタクトと、を備える、
電気化学反応容器、特にポテンシオスタットのためのクロージャ。
【請求項２】
特に前記反応容器を液密および／または気密にシールするために、前記クロージャを前記反応容器に固定するためのファスナをさらに備える、請求項１記載のクロージャ。
【請求項３】
前記反応容器における対応するねじ山付きコネクタ、特に雄ねじ山と係合するための、コネクタ、特に雌ねじ山を備えるコネクタをさらに備える、請求項１記載のクロージャ。
【請求項４】
前記クロージャは、別個の第１の部分および第２の部分、特に半径方向内側部分および半径方向外側部分を有し、前記第１の部分は、前記ホルダおよび前記複数のコンタクトを有し、前記第２の部分は、前記ファスナを有し、前記第２の部分は、前記反応容器に固定されたとき、前記反応容器に対して前記第１の部分の位置をセンタリングする、請求項２記載のクロージャ。
【請求項５】
前記第２の部分は、ユニオンナットである、請求項４記載のクロージャ。
【請求項６】
前記ホルダは、前記電極を前記クロージャに取外し可能に取り付けるための、複数の保持エレメント、特にねじ山付きコネクタまたはプラグインコンタクトを有する、請求項１記載のクロージャ。
【請求項７】
前記クロージャにホースを接続するためのコネクタ、および／または前記反応容器の内部空間に流体を供給しかつ／または前記反応容器の前記内部空間に収容された流体のサンプルを回収するためのチャネルをさらに備える、請求項１記載のクロージャ。
【請求項８】
実験室装置の対応する保持手段と係合するための取付け手段を備え、これにより、前記クロージャによって閉鎖された前記反応容器は、前記実験室装置に取付け可能である、請求項１記載のクロージャ。
【請求項９】
前記クロージャを含む前記反応容器を保持するための実験室装置のホルダに対する前記クロージャの位置を調節またはセンタリングするための少なくとも１つの突出部を備え、該少なくとも１つの突出部は、好ましくは、前記クロージャの外側から軸方向に延びている、請求項１記載のクロージャ。
【請求項１０】
電極を収容するためのチャネルを備え、該チャネルは前記クロージャの内側から外側まで延びており、特に、前記チャネルを通って延びていてかつ前記内側および前記外側において前記クロージャから突出している電極を備える、請求項１記載のクロージャ。
【請求項１１】
前記コンタクトは、側面に、特に前記クロージャの外周面に配置されている、請求項１記載のクロージャ。
【請求項１２】
請求項１記載のクロージャを備える、実験室装置、特にポテンシオスタットのための電気化学反応容器。
【請求項１３】
実験室装置、特にポテンシオスタットのための電気化学反応容器であって、該反応容器は、
該反応容器の内部空間へ延びる複数の電極と、
前記反応容器の外側において前記電極との電気的接触を提供するための、前記反応容器の外側に配置された複数のコンタクト、を備える、
実験室装置、特にポテンシオスタットのための電気化学反応容器。
【請求項１４】
前記電極は、前記反応容器の底部に配置されており、前記コンタクトは、前記反応容器の底部外側に配置されている、請求項１３記載の電気化学反応容器。
【請求項１５】
実験室装置であって、
請求項１３記載の少なくとも１つの電気化学反応容器と、
該反応容器を収容するための反応容器ホルダまたは支持部と、を備える、
実験室装置。
【請求項１６】
前記反応容器ホルダまたは支持部は、異なる寸法の反応容器を保持するために調節可能である、請求項１５記載の実験室装置。
【請求項１７】
前記反応容器ホルダまたは支持部は、複数の保持エレメントを有し、各保持エレメントは、異なる寸法の反応容器を保持するために調節可能である、請求項１５記載の実験室装置。
【請求項１８】
前記反応容器ホルダまたは支持部は、前記反応容器の前記コンタクトと電気的に接触するためのコンタクト、特にばね荷重がかけられたコンタクトを有する、請求項１５記載の実験室装置。
【請求項１９】
前記反応容器のためのクロージャを備え、該クロージャは、前記電極を保持するためのホルダと、前記電極との電気的接触を提供するための、前記クロージャの外面に配置された複数のクロージャコンタクトとを有し、前記クロージャの前記クロージャコンタクトと係合するために前記反応容器ホルダまたは支持部の側面に電気的接触部が配置されている、請求項１８記載の実験室装置。
【請求項２０】
前記反応容器ホルダまたは支持部は、前記コンタクトを含む折畳み可能な部材を有し、前記コンタクトは、前記折畳み可能な部材を作動位置へ折り畳むことによって前記反応容器の前記コンタクトと電気的に接触できるように前記折畳み可能な部材内に配置されている、請求項１８記載の実験室装置。
【請求項２１】
前記反応容器ホルダまたは支持部は、前記反応容器を収容するための支持面を有し、該支持面は、前記反応容器のコンタクト、特に前記反応容器の下側におけるコンタクトと電気的に接触するためのコンタクトを有し、かつ／または前記支持面に前記反応容器を取り付けるための手段、特に、前記支持面における対応するまたは相補的な第２の取付け手段と係合するための前記反応容器の前記下側における第１の取付け手段を有する、請求項１５記載の実験室装置。
【請求項２２】
前記反応容器ホルダまたは支持部は、該反応容器ホルダまたは支持部に前記反応容器を取り付けるための１つまたは複数の磁石を有する、請求項１５記載の実験室装置。
【請求項２３】
前記反応容器に収容された電解質を混合するための磁気撹拌機をさらに備え、該磁気撹拌機は、前記反応容器ホルダまたは支持部に含まれていてもよい、請求項１５記載の実験室装置。
【請求項２４】
前記コンタクトを介して前記電極に接続されたまたは接続可能な制御装置をさらに備え、該制御装置は、前記実験室装置の作動中、前記反応容器内の電気化学的プロセスまたは反応を制御する、請求項１５記載の実験室装置。
【請求項２５】
前記反応容器ホルダまたは支持部は、複数の支持面を有し、各支持面は、それぞれの反応容器またはマルチバイアルアダプタを収容するためのものである、請求項２１記載の実験室装置。
【請求項２６】
前記反応容器のためのクロージャを備え、該クロージャは、前記反応容器ホルダまたは支持部に前記反応容器を取り付けるための１つまたは複数の磁石を有する、請求項１５記載の実験室装置。
【発明の詳細な説明】
【技術分野】
【０００１】
本発明は、電気化学的容器のためのクロージャ、電気化学的容器および実験室装置に関する。
【０００２】
背景
化学分析を行うために電気化学反応装置を使用することが公知である。このような装置は、正確な測定を可能にすることが要求され、このことが装置を複雑かつ高価にしている。
【０００３】
また、化学反応を行うために電気化学反応装置を使用することが公知である。従来の装置では、化学反応は、触媒、反応開始剤および反応停止剤などの添加剤を使用することによって制御される。このような従来の装置は廃棄物を発生し、廃棄物は廃棄される必要がある。
【０００４】
従来の装置はしばしば、操作しにくい。特に、従来の装置は、通常、外部ＰＣに接続され、外部ＰＣによって制御される。装置を自律的に操作することはできない。制御ソフトウェアの操作はしばしば複雑である。
【０００５】
さらに、操作のために従来の装置をセットアップすることは、不便であるまたは面倒でさえある可能性がある。例えば、従来の電気化学反応容器の電極を接続することは、ワニ口クリップまたは同様のものを必要とすることがある。
【０００６】
本発明は、実験室環境における化学反応の実施を容易にすることを目的とする。
【０００７】
発明の概要
本発明は、独立請求項に記述されている。選択的な特徴は、従属請求項に記述されている。
【０００８】
発明の１つの態様によれば、電気化学反応容器、特にポテンシオスタットのためのクロージャであって、クロージャは、クロージャが反応容器に取り付けられたときに、ホルダによって保持された電極が反応容器の内部空間および反応容器に収容された電解質内へ延びるように、クロージャの内側に配置された電極を保持するためのホルダと、電極との電気的接触を提供するための、クロージャの外側に配置された複数のコンタクトと、を備える、電気化学反応容器、特にポテンシオスタットのためのクロージャが提供される。
【０００９】
クロージャは、実験室反応容器を閉鎖しかつ電極を反応容器の内部へ挿入するために使用することができる。電極は、反応容器内の電気化学的プロセスを制御するために使用することができる。言い換えれば、クロージャは、電気化学反応のための実験室反応容器の使用を可能にする。反応容器は、クロージャによって閉鎖されかつ電解質が充填されたとき、実験室環境における適用のための電気化学反応容器を形成する。１つの実施の形態では、３つの電極、すなわち、基準電極、作用電極および対電極が設けられている。
【００１０】
１つの実施の形態では、クロージャは、クロージャを反応容器に固定するための、特に反応容器を液密および／または気密形式でシールするためのファスナを有する。ファスナを、反応容器を開閉するために操作することができる。容器内の反応室が環境から液密および／または気密形式でシールされ、これにより、電気化学反応に対する環境的影響を回避または低減するように、ファスナおよび／またはクロージャを配置することができる。容器をシールすることによって、所定の大気圧、例えば不活性ガス雰囲気において反応を行うことができる。
【００１１】
１つの実施の形態では、クロージャは、反応容器において対応するねじ山付きコネクタ、特に雄ねじ山と係合するための、コネクタ、特に雌ねじ山を備えるコネクタを有する。この実施の形態では、クロージャは、容易に開閉することができるスクリュクロージャとして実施されており、これにより、ユーザフレンドリな操作を提供する。
【００１２】
１つの実施の形態では、クロージャは、別々の第１および第２の部分、特に半径方向内側および外側の部分を有し、第１の部分は、ホルダと、複数のコンタクトとを有し、第２の部分は、ファスナを有し、第２の部分は、反応容器に固定されたとき、反応容器に対する第１の部分の位置を中央に位置させる。この実施の形態では、第１の部分は、円筒状の内側部分を形成することができ、内側部分の軸線は、クロージャが反応容器に固定されたとき、反応容器の長手方向軸線と一致させられる。第２の部分は、内側部分の周囲に沿って延びる、リング状の外側部分を形成していることができる。例えば、第２の部分は、ユニオンナットである。クロージャは、第２の部分（例えば、ユニオンナット）を反応容器に固定する（例えば、螺合させる）ことによって反応容器に固定される。これにより、第１の部分は、反応容器に対して所定の位置に固定される。特に、第１の部分は、反応容器に対してセンタリングされ、これにより、電極が、容器によって形成された反応室内の所定の位置に配置されることを保証する。
【００１３】
別の実施の形態では、クロージャは、ワンピースで形成されている。
【００１４】
１つの実施の形態では、ホルダは、電極をクロージャに取外し可能に取り付けるために、複数の保持エレメント、特にねじ山付きコネクタまたはプラグインコンタクトを有する。この実施の形態では、電極をプラグインコンタクト内へ螺合させるまたは単に差し込むことによって電極をホルダに容易にかつ確実に取り付けることができる。これは、電極の交換を容易にする。
【００１５】
１つの実施の形態では、クロージャは、さらに、反応容器の内部空間へ流体を供給しかつ／または反応容器の内部空間に含まれた流体のサンプルを回収するためのチャネルを有する。チャネルは、クロージャを開閉させることによる反応容器の開閉から独立して開閉させることができる。この実施の形態では、操作中、すなわち電気化学反応が反応室内で生じている間、反応物を反応室に供給することができる。また、容器の内容物のサンプルは、試験のために、操作を中断する必要なく回収することができる。
【００１６】
１つの実施の形態では、クロージャは、実験室装置の対応する保持手段と係合するための取付け手段を有し、これにより、クロージャによって閉鎖された反応容器は、実験室装置に取付け可能である。したがって、反応容器を実験室装置に取付けるための手段は、クロージャにおいて一体化される。これにより、既存の（従来の）反応容器を電気化学反応容器に変換しかつ電気化学反応容器を対応する実験室装置に取り付けるために、クロージャを使用することができる。
【００１７】
１つの実施の形態では、クロージャは、クロージャを含む反応容器を保持するための実験室装置のホルダに対するクロージャの位置を調節またはセンタリングするための少なくとも１つの突出部を有し、少なくとも１つの突出部は、好ましくは、クロージャの外側から軸方向に延びている。実験室装置の対応するホルダによって、突出部を収容することができる。突出部は、実験室装置への、クロージャを備える反応容器の取付けを容易にする。同時に、突出部は、反応容器が実験室装置に対して所定の位置に配置されることを保証する。
【００１８】
１つの実施の形態では、クロージャは、さらに、電極を収容するためのチャネルを有し、チャネルは、クロージャの内側から外側まで延びており、特に、チャネルを通って延びかつ内側および外側においてクロージャから突出した電極を有する。作動時、すなわちクロージャが反応容器に取り付けられているとき、電極は、反応室内から反応容器の外側へ延びている。クロージャの外側から突出した電極の部分は、クロージャ（および反応容器）を実験室装置に取り付けるために使用することができる。この部分は、センタリング突出部としても機能することができ、これにより、別個のセンタリング突出部は必要とされない。クロージャの内側から突出した電極の部分は、反応容器に収容された電解質と接触する。
【００１９】
１つの実施の形態では、コンタクトは、側面に、特にクロージャの外周面に配置されている。この実施の形態では、実験室装置と反応容器との間の電気接続は、反応容器を備えるクロージャが実験室装置のホルダに取り付けられたときに互いに係合する、クロージャおよび実験室装置のそれぞれの側面を介して確立される。
【００２０】
発明の別の態様によれば、実験室装置、特にポテンシオスタットのための電気化学反応容器が提供され、反応容器は、上述の実施の形態のうちのいずれかによるクロージャを有する。
【００２１】
本発明の別の態様によれば、実験室装置、特にポテンシオスタットのための電気化学反応容器であって、反応容器は、反応容器の内部空間内へ延びる複数の電極と、反応容器の外側における電極との電気的接触を提供するための、反応容器の外側に配置された複数のコンタクトとを有する、電気化学反応容器が提供される。
【００２２】
したがって、電気化学反応容器は、容器によって形成された電気化学反応室内での電気化学的プロセスの制御を可能にする一体化された電極を有する。この実施の形態では、容器のクロージャに電極およびコンタクトを配置する必要はない。
【００２３】
この実施の形態は、使い捨て可能または一回利用の反応容器の提供を可能にする。全ての必要な電気エレメントは、容器に一体化されていてもよい。
【００２４】
１つの実施の形態では、電極は、反応容器の底部に配置されており、コンタクトは、反応容器の底部外側に配置されている。この実施の形態では、反応容器は、支持面に一体化された対応するカウンターコンタクトを有する実験室装置の支持面に配置されるように適応されている。すなわち、反応容器は、対応して適応させられる電気化学的な実験室装置に容易に挿入しかつ実験室装置から容易に取り出すことができる。
【００２５】
本発明の別の態様によれば、実験室装置であって、上述の実施の形態のうちのいずれかによる少なくとも１つの電気化学反応容器と、反応容器を収容するためのホルダまたは支持部とを有する、実験室装置が提供される。発明の実施の形態において、複数のこのような電気化学反応容器が提供されてもよく、これにより、同じまたは異なる電気化学的条件下で実験室環境において複数の電気化学反応の同時実施を可能にする。
【００２６】
１つの実施の形態において、ホルダまたは支持部は、異なる寸法の反応容器を保持するように調節可能である。ホルダまたは支持部は、クロージャのサイズに合わせて自動的に調節されるファスナまたはクランプとして実施されてもよい。ホルダまたは支持部は、トップダウンホルダとして実施されてもよい。
【００２７】
１つの実施の形態では、ホルダまたは支持部は、複数の保持エレメントを有し、各保持エレメントは、異なる寸法の反応容器を保持するために調節可能である。したがって、実験室装置は、同時に異なる反応容器を収容し、異なる電気化学的プロセスを行ってもよい。
【００２８】
１つの実施の形態では、ホルダまたは支持部は、反応容器のコンタクトと電気的に接触するためのコンタクト、特にばね荷重がかけられたコンタクトを有する。ホルダまたは支持部におけるコンタクトは、反応容器と、実験室装置に含まれることがある制御装置との間の電気接続を確立するために機能する。ばね荷重がかけられたコンタクトを提供することによって、確実な電気接続が提供される。
【００２９】
１つの実施の形態では、電気コンタクトは、クロージャの、前記側面に配置されたコンタクトと係合するように、ホルダまたは支持部の側面に配置されている。この実施の形態では、反応容器を備えるクロージャを、ホルダまたは支持部に側面において取り付けることができ、実験室装置と反応容器との間の電気接続は、クロージャとホルダまたは支持部との接合部を介して確立することができる。
【００３０】
１つの実施の形態では、ホルダまたは支持部は、コンタクトを含む折畳み可能な部材を有し、折畳み可能な部材に配置されたコンタクトは、折畳み可能な部材を作動位置へ折り畳むことによって、反応容器のコンタクトと電気的に接触する。折畳み可能な部材は、実験室装置への反応容器の固定から独立して、反応容器と実験室装置との間の電気接続の確立を可能にする。
【００３１】
１つの実施の形態では、ホルダまたは支持部は、反応容器を収容するための支持面を有し、支持面は、反応容器のコンタクト、特に反応容器の下側におけるコンタクトと電気的に接触するためのコンタクトを有する、かつ／または反応容器を支持面に取付けるための手段、特に支持面における対応するまたは相補的な第２の取付け手段と係合するための、反応容器の下側における第１の取付け手段を有する。この実施の形態では、電気接続は、単に反応容器を支持面に配置することによって確立することができる。
【００３２】
１つの実施の形態では、ホルダまたは支持部および／またはクロージャは、反応容器をホルダまたは支持部に取付けるための１つまたは複数の磁石を有する。したがって、反応容器は、実験室装置のホルダに容易に取り付けかつ実験室装置のホルダから容易に取り外すことができる。
【００３３】
１つの実施の形態では、実験室装置は、反応容器に収容された電解質を混合するための磁気撹拌機を有し、磁気撹拌機は、ホルダまたは支持部に含まれていてもよい。この実施の形態は、作動中、反応室の内容物の混合を可能にする。
【００３４】
１つの実施の形態では、実験室装置は、コンタクトを介して電極に接続されたまたは接続可能な制御装置を有し、制御装置は、実験室装置の作動中、反応容器内の電気化学的プロセスまたは反応を制御する。制御装置は、電極に加えられる電位を制御することによって電気化学的チャンバ内の電気化学反応の制御を可能にする。化学的な添加剤は不要である。例えば、電極に供給される電圧および／または電流を制御することができ、これにより、反応容器における反応物に提供される電荷を制御する。加えて、制御装置は、回転、特に磁気撹拌機の回転速度などのその他のパラメータの制御を可能にする。制御装置は、電気化学反応に関するパラメータ値を表示するためのディスプレイを有してもよい。
【００３５】
実験室装置は、分析データを得るための電気化学的分析を行うために使用されてもよい。例えば、実験室装置は、周期的なボルタンメトリーを行うために使用されてもよい。
【００３６】
実験室装置に一体化された制御装置を提供することによって、実験室装置を外部ＰＣに接続する必要なく（しかしながら、これは付加的に可能にされてもよい）、実験室装置を自律的に操作することができる。
【００３７】
制御装置は、制御ソフトウェアを有しかつ制御ソフトウェアによって制御されてもよい。制御装置は、制御ソフトウェアをアップデートするための複数のインターフェースのうちの１つまたは複数を有してもよい。特に、インターフェースは、ＵＳＢポート、ブルートゥース接続および／またはＷｉ−Ｆｉ接続を含んでもよい。インターフェースは、既存の制御ソフトウェアをアップデートするためにかつ／または異なる電気化学的プロセスまたは分析を制御しかつ実施するための新たなソフトウェアをアップロードするために、使用されてもよい。
【００３８】
１つの実施の形態では、実験室は、それぞれの反応容器またはマルチバイアルアダプタをそれぞれが収容するための複数の支持面を有する。この実施の形態では、多数、例えば５０個以下または５０個以上の反応容器を同時に操作することができる。
【図面の簡単な説明】
【００３９】
【図１】本発明の１つの実施の形態による電気化学反応容器を示している。
【図２】図２ａ〜図２ｄは、本発明の実施の形態による異なる電気化学反応容器を示している。
【図３】図３ａおよび図３ｂは、本発明の１つの実施の形態による実験室装置の異なる図を示している。
【図４】本発明の１つの実施の形態による実験室装置の異なる図を示している。
【図５】本発明の別の実施の形態による実験室装置の異なる図を示している。
【図６】図６ａおよび図６ｂは、本発明の別の実施の形態による実験室装置の異なる図を示している。
【図７】本発明の別の実施の形態による実験室装置の異なる図を示している。
【図８】図８ａおよび図８ｂは、本発明の別の実施の形態による実験室装置の異なる図を示している。
【図９】図９ａ〜図９ｃは、本発明の別の実施の形態による電気化学反応容器１を示している。
【図１０】図１０ａおよび図１０ｂは、本発明の別の実施の形態による実験室装置の異なる図を示している。
【図１１】図１１ａ〜図１１ｄは、発明の１つの実施の形態による、側面電気コンタクトを備えた反応容器の異なる図を示している。
【図１２】図１２ａおよび図１２ｂは、発明の２つの代替的な実施の形態による実験室装置の平面図を示している。
【図１３】発明の１つの実施の形態による実験室装置の一部を概略的に示している。
【図１４】本発明の別の実施の形態による電気化学反応容器を示している。
【００４０】
実施の形態の説明
図１は、本発明の１つの実施の形態による、クロージャ２を有する電気化学反応容器１を示している。容器１は、円筒状である。クロージャ２は、ねじ山接続によって容器１に取り付けられている。特に、ねじ山接続は、クロージャ２の内側における雌ねじ山３と、容器１における対応する雄ねじ山４とを含む。
【００４１】
電極ホルダ５は、クロージャ２の内側８に配置されている。ホルダ５は、複数の保持エレメント６を有する。各保持エレメント６は、雄ねじ山を有し、この雄ねじ山により電極７がそれぞれの保持エレメント６に螺合させられる。
【００４２】
保持エレメント６に螺合させられたときに電極７が容器１の内部９へ延びるように、保持エレメント６はクロージャ２の内側８に配置されている。容器に電解質が充填されておりかつクロージャ２が容器１に取付けられている作動状態において、電極７は電解質内へ延びている。
【００４３】
クロージャ２を備える容器１、電極７および電解質は、電気化学セルを形成している。３つの電極７を備える例示された実施の形態では、容器１、クロージャ２、電極７および電解質が一緒にポテンシオスタットを形成している。
【００４４】
電極７は、クロージャ２の外側１２におけるコンタクト１１と電気的に接続されている。加えて、クロージャ２は、流体、特に液体を容器１へ供給しかつ／または内容物を容器１から抽出するためのホースコネクタ１３を有する。これは、反応前、反応中または反応後に行うことができる。ホースコネクタを、クロージャ、例えば蓋１４によって閉鎖することができる。
【００４５】
作動位置において、電極の端部と、容器１の底部との間には、撹拌エレメント（図示せず）、特に磁気撹拌機の撹拌バーを収容するために十分な大きさの間隙が設けられている。
【００４６】
図２ａ〜図２ｄは、クロージャ２を備える電気化学反応容器１の異なる実施の形態を示している。各実施の形態において、３つの電極、すなわち１つの基準電極Ｒと、互いに隣接して配置された２つの作用電極Ａとが設けられている。また、クロージャ２は、センタリング突出部１６を有する。実施の形態は、容器１が、異なる容積、例えば、５０ｍｌ（ａ）、２０ｍｌ（ｂ）、１０ｍｌ（ｃ）および５ｍｌ（ｄ）を有するという点で互いに異なる。
【００４７】
図３ａ、図３ｂおよび図４は、本発明の１つの実施の形態による実験室装置１７を示している。図３ａは、上方から見た図を示しているのに対し、図３ｂは、線Ａ−Ａに沿った実験室装置１７の断面図を示している。実験室装置１７の上面には、ユーザが実験室装置１７の作動を制御することができるようにするための制御エレメント１８が設けられている。加えて、容器１を配置することができる支持面１９が設けられている。支持面１９は、容器１またはホルダまたは容器１に関連したアダプタを固定するための保持またはラッチエレメント２０と、３つの電極（基準電極Ｒおよび作用電極Ａ）のためのコンタクトとを有する。
【００４８】
実験室装置１７は、撹拌磁石２２を駆動するための駆動装置２１を有する。撹拌磁石２２自体は、容器１内に設けられた撹拌バー（図示せず）を駆動する。
【００４９】
図４は、実験室装置の側面図を示している。この図に示したように、保持および／またはラッチエレメント２０は、リング状であり、支持面１９から鉛直方向に延びている。
【００５０】
図５は、クロージャ２によって閉鎖された反応容器１を有する実験室装置１７の別の実施の形態を示している。この実施の形態では、反応容器１は、ホルダ２３によって支持面１９の上方に保持されている。特に、反応容器２は、その長手方向軸線が撹拌磁石２２の回転軸線と一致させられるように保持される。ホルダ２３は、支持面１９に取付けられている。
【００５１】
ホルダ２３は、クロージャ２および容器１における電極７を実験室装置１７と接続するためのコンタクトを有する。
【００５２】
図６ａおよび図６ｂは、それぞれ図５の実験室装置１７の側面図および平面図を示している。図６ａは、反応容器１がホルダ２３によって支持および保持されていることを示している。ホルダ２３は、クロージャ２と係合するためのファスナ、例えばクランプを有し、これにより、反応容器１を実験室装置１７に取り付けている。ファスナは、異なるサイズのクロージャ２を収容するように調節可能であってもよい。
【００５３】
ホルダ２３は、センタリング突出部を収容するための凹所２５を有し、これにより、実験室装置１７に対して反応容器１をセンタリングする。１つの実施の形態において、ホルダ２３は、反応容器１の底部と支持面との間に所定の距離が存在するように反応容器１を支持面１９の僅かに上方に保持する。しかしながら、代替的な実施の形態では、容器１は支持面に載置される。
【００５４】
ホルダは、クロージャ２の外側１２におけるコンタクト１１と電気的に接触するためのコンタクト（図示せず）を有する、折畳み可能な上部２４を有する。作動時、センタリング突出部が凹所２５に挿入されるとき、上部２４が上方へ折り畳まれる。その後、上部２４は下方へ折り返され、これにより、上部２４のコンタクトがクロージャのコンタクト１１と接触させられる。上部２４のコンタクトは、コンタクト１１との確実な電気接続が形成されることを保証するためにばね荷重がかけられていてもよい。
【００５５】
図７、図８ａおよび図８ｂは、実験室装置１７の別の実施の形態を示している。図７および図８ａの実施の形態では、複数の反応容器１が、マルチバイアルアダプタ２６によって保持されている。アダプタ２６は、下側部分２７および上側部分２８を有する。上側部分２８において、反応容器１は、基本的にホルダ２３と同じ形式で機能する保持手段を介して実験室装置１７に取り付けられている。特に、各反応容器１のクロージャ２は、それぞれの保持エレメントに取り付けられている。また、上側アダプタ部分２８は、反応容器１のセンタリング突出部を収容するための凹所２５を有する。クロージャ２におけるコンタクト１１は、上側部分２８におけるそれぞれのカウンターコンタクト（図示せず）と接触する。カウンターコンタクトは、実験室装置１７における制御装置と電気的に接続されている。
【００５６】
アダプタの保持手段は、異なるサイズのクロージャを収容するために調節可能であってもよい。したがって、異なる寸法の反応容器を実験室装置１７に取り付けることができる。
【００５７】
図８ｂは、図７および図８ａの実験室装置１７の平面図を示している。アダプタ２６は、６個の反応容器１を保持している。上側アダプタ部分２８における凹所２５は、クロージャ２のセンタリング突出部と係合し、実験室装置１７に対する反応容器１の位置を確定する。
【００５８】
反応容器１は、電気化学反応に適した材料、例えばガラスまたはプラスチック材料から形成されている。
【００５９】
図９ａは、別の実施の形態による電気化学反応容器１を示している。図９ｂは、図９ａにおけるＡ−Ａに沿った断面図を示しており、図９ｃは、図９ａにおけるＢ−Ｂに沿った断面図を示している。
【００６０】
この実施の形態では、クロージャ２は、電極７を収容するためのプラグイン（差込み）コンタクト２９を有する。電極７は、単に電極７をプラグインコンタクト２９内へ差し込むことによってクロージャ２に取り付けることができる。また、この実施の形態では、クロージャ２は、ワンピースで形成されている。
【００６１】
図１０ａおよび図１０ｂは、本発明の別の実施の形態による実験室装置１７を示している。この実施の形態では、反応容器１は、磁力によってホルダ２３に取り付けられている。このために、磁石３０は、ホルダ２３の上側部分３１および／またはクロージャ２の対向する上側部分３２に配置されている。磁石３０は、反応容器１を実験室装置１７内に保持しかつ実験室装置１７内での反応容器１の位置をセンタリングするために機能する。ホルダ２３およびクロージャ２のそれぞれの上側部分３１，３２は、相補的な形状を有し、それぞれの周囲係合面３３および３４において互いに係合する。
【００６２】
電気コンタクト３５，３６は、それぞれ周囲係合面３３，３４に配置されている。言い換えれば、電気コンタクトは、側方、すなわち円筒状の反応容器１の回転軸線に関して半径方向外方に面した、側面コンタクトとして配置されている。クロージャ２がホルダ２３に取り付けられると、電気コンタクト３５，３６は互いに係合し、これにより、反応容器１の電極と、実験室装置１７の電源との間に電気接続を提供する。
【００６３】
図１１は、図１０に関して説明したように、側面コンタクト３３を備える実施の形態による反応容器を示している。
【００６４】
図１２ａは、発明の１つの実施の形態による実験室装置１７の平面図を示している。この実施の形態は、基本的に、図３の実施の形態に対応し、１つの反応容器１を収容するための１つの支持面１９を有する。代替的に、複数の反応容器１が、図７および図８に示したようなマルチバイアルアダプタ２６によって支持されてもよい。特定の実施の形態において、６個以下の検査バイアルが配置されてもよい。
【００６５】
図１２ｂは、発明の代替的な実施の形態による実験室装置１７の平面図を示している。この実施の形態では、複数の支持面１９が設けられている。各支持面は、１つの反応容器１または図７および図８に示したようなマルチバイアルアダプタ２６を収容することができる。示された例では、実験室装置は、３０個以下のバイアル（各支持面において５個のバイアル）に対して作動させられるように配置構成されている。
【００６６】
図１３は、発明の１つの実施の形態による実験室装置１７の一部を概略的に示している。この実施の形態では、支持面１９は、反応容器１を収容しかつ支持するように配置されている。支持面は、反応容器１（図示せず）の下側における対応する電気コンタクトと係合するための電気コンタクト３５を有し、これにより、実験室装置１７の電源と反応容器１の電極との間の電気接続が確立される。これにより、本発明の幾つかの他の実施の形態とは対照的に、電力は、反応容器１の上部ではなく、底部から供給される。
【００６７】
この実施の形態では、反応容器１は、反応容器１の底部を実験室装置に取り付けるための手段を有する。例えば、図１３に示したように、反応容器１は、１つまたは複数の半径方向突出部３６を底端部に有し、半径方向突出部３６は、支持面１９における対応する凹所３７に挿入することができる。挿入後、支持面１９に対して反応容器１を回転させることによって、突出部３６は、支持面１９の下側の、半径方向に延びる凹部内へ移動させられ、これにより、支持面１９に対して反応容器１を固定する。簡略にするために、図１３は、１つの突出部３６および１つの対応する凹所３７のみを示している。しかしながら、２つ以上のこのような突出部および凹所、および／または代替的な取付け手段が設けられてもよいと考えられる。
【００６８】
図１４は、本発明の別の実施の形態による電気化学反応容器１を示している。この実施の形態では、電気化学反応容器１は、ボトルネック３９および雄ねじ山４０を備えるボトル形レセプタクル（容器）３８を有し、雄ねじ山４０にクロージャ２を螺合させることができる。代替的な実施の形態では、ねじ山４０は設けられず、クロージャ２はレセプタクル３８に押し込まれる。
【００６９】
レセプタクル３８は、標準的な“既製の”レセプタクル（容器）によって実施されてもよい。
【００７０】
電極６は、レセプタクル３８の内部へクロージャ２を通って延びている。ハンドル部分４１が、電極６の上端部に取り付けられている。ハンドル部分４１は、電極６がレセプタクル３８内の終端位置に達したときに電極６を停止させる。また、ハンドル部分４１は、例えば電極６が交換されるときにユーザが電極６を掴むことを可能にする。さらに、各ハンドル部分は、電極６のための電源を接続することができる電気接続部、例えばソケットを有する。
【符号の説明】
【００７１】
１  電気化学反応容器
２  クロージャ
３  雌ねじ山
４  雄ねじ山
５  電極ホルダ
６  保持エレメント
７  電極
８  クロージャの内側
９  容器の内部
１０  ポテンシオスタット
１１  コンタクト
１２  クロージャの外側
１３  ホースコネクタ
１４  クロージャ
１５  容器の底部
１６  突出部
１７  実験室装置
１８  作動エレメント
１９  支持面
２０  保持およびラッチエレメント
２１  駆動装置
２２  撹拌磁石
２３  ホルダ
２４  ホルダの上部
２５  凹所
２６  アダプタ
２７  アダプタの上側部分
２８  アダプタの下側部分
２９  プラグインコンタクト
３０  磁石
３１  ホルダの上部
３２  クロージャの上部
３３  クロージャの係合面
３４  ホルダの係合面
３５  電気コンタクト
３６  半径方向突出部
３７  凹所
３８  レセプタクル
３９  ボトルネック
４０  雄ねじ山
４１  ハンドル部分
Ａ  作用電極
Ｒ  基準電極
【図１】
2020510515.tif 000003
【図２ａ】
2020510515.tif 000004
【図２ｂ】
2020510515.tif 000005
【図２ｃ】
2020510515.tif 000006
【図２ｄ】
2020510515.tif 000007
【図３ａ】
2020510515.tif 000008
【図３ｂ】
2020510515.tif 000009
【図４】
2020510515.tif 000010
【図５】
2020510515.tif 000011
【図６ａ】
2020510515.tif 000012
【図６ｂ】
2020510515.tif 000013
【図７】
2020510515.tif 000014
【図８ａ】
2020510515.tif 000015
【図８ｂ】
2020510515.tif 000016
【図９ａ】
2020510515.tif 000017
【図９ｂ】
2020510515.tif 000018
【図９ｃ】
2020510515.tif 000019
【図１０ａ】
2020510515.tif 000020
【図１０ｂ】
2020510515.tif 000021
【図１１ａ】
2020510515.tif 000022
【図１１ｂ】
2020510515.tif 000023
【図１１ｃ】
2020510515.tif 000024
【図１１ｄ】
2020510515.tif 000025
【図１２ａ】
2020510515.tif 000026
【図１２ｂ】
2020510515.tif 000027
【図１３】
2020510515.tif 000028
【図１４ａ】
2020510515.tif 000029
【図１４ｂ】
2020510515.tif 000030
【図１４ｃ】
2020510515.tif 000031
【国際調査報告】
2020510515.tif 000032
2020510515.tif 000033
2020510515.tif 000034
2020510515.tif 000035
2020510515.tif 000036